(57)【要約】【課題】    網戸の汚れが防止でき、かつ良好な外観意匠および室内からの景観を確保することができる建具を提供すること。【解決手段】上部障子２０の室内側に網戸５０が設けられているので、網戸５０の汚れが防止できるとともに、室外側から見た場合には、網戸５０が直接見えないので、上げ下げ窓１の外観が良好にできて意匠性を良好に維持することができる。上部障子２０を開放することで、通風や換気が可能となるとともに、この通風、換気状態において、網戸５０によって埃や虫等の室内への侵入が防止でき、良好な室内環境を得ることができるとともに、下部障子３０を通して室外を見た場合には、網戸５０が邪魔にならずに良好な景観を得ることができる。【選択図】  図２
2006241743.tif 000002
【特許請求の範囲】
【請求項１】
上枠、下枠、および左右の縦枠を有する窓枠と、この窓枠内に支持された少なくとも上下二段の障子とを備え、
前記少なくとも上下二段の障子のうち、少なくとも上側の障子は、下側の障子の室外側において上下方向にスライド開閉自在に設けられ、
前記上側の障子よりも見込み方向室内側で、かつ前記下側の障子よりも見込み方向室外側には、当該上側の障子の室内側を覆う網戸が設けられ、
前記網戸は、網戸上框、網戸下框、および左右の網戸縦框を有した網戸枠と、この網戸枠内に支持されたネットとを有して形成され、前記網戸上框が前記上枠に係止されるとともに、前記網戸の下端部および前記縦枠の一方から他方に向かって出没自在に設けられた係止部材により当該網戸の下端部が当該縦枠に係止されて、当該網戸が前記窓枠に支持されている建具。
【請求項２】
前記係止部材は、前記網戸下框の両端部から左右に出没自在に設けられたピンで構成されている請求項１に記載の建具。
【請求項３】
前記網戸枠の上下左右の網戸框材は、それぞれ室内部材と室外部材とを接合して形成され、
前記ネットは、前記上下左右の網戸框材における室内部材と室外部材との間に挟持されている請求項２に記載の建具。
【請求項４】
前記網戸の網戸下框は、閉鎖位置にある前記上下の障子における室内外の召し合わせ框の間に位置し、当該召し合わせ框の見込み方向に重なって設けられている請求項２または請求項３に記載の建具。
【請求項５】
前記上側の障子は、前記下側の障子よりも高さ寸法が小さく形成されている請求項１から請求項４のいずれかに記載の建具。
【発明の詳細な説明】
【技術分野】
【０００１】
本発明は、建具に関し、詳しくは、窓枠と、この窓枠内に支持された少なくとも上下二段の障子とを備えた上げ下げ窓等の建具に関する。
【背景技術】
【０００２】
住宅等の外壁開口部に設けられる窓（サッシ窓）として、上下一対の障子を備えた上げ下げ窓が知られている（例えば、特許文献１参照）。
特許文献１に記載された上げ下げ窓は、窓枠と、この窓枠の上半分に固定された固定障子と、この固定障子の室内側に沿って上下にスライド開閉自在に設けられた室内障子（下部障子）とを備えて構成されている。そして、下部障子の室外側には、網戸が設けられており、下部障子を開放して通気や換気を行う際に、その下方に形成される開口部から埃や虫等が室内に入り込むことが防止できるようになっている。
【０００３】
【特許文献１】特開２００３−２７８０９号公報
【発明の開示】
【発明が解決しようとする課題】
【０００４】
しかしながら、前記特許文献１に記載された従来の上げ下げ窓では、網戸が下部障子の室外側に設けられているため、網戸が汚れやすく、かつ下部障子を通した室内からの景観および窓の外観が損なわれてしまうという問題がある。
【０００５】
本発明の目的は、網戸の汚れが防止でき、かつ良好な外観意匠および室内からの景観を確保することができる建具を提供することにある。
【課題を解決するための手段】
【０００６】
本発明の建具は、上枠、下枠、および左右の縦枠を有する窓枠と、この窓枠内に支持された少なくとも上下二段の障子とを備え、前記少なくとも上下二段の障子のうち、少なくとも上側の障子は、下側の障子の室外側において上下方向にスライド開閉自在に設けられ、前記上側の障子よりも見込み方向室内側で、かつ前記下側の障子よりも見込み方向室外側には、当該上側の障子の室内側を覆う網戸が設けられ、前記網戸は、網戸上框、網戸下框、および左右の網戸縦框を有した網戸枠と、この網戸枠内に支持されたネットとを有して形成され、前記網戸上框が前記上枠に係止されるとともに、前記網戸の下端部および前記縦枠の一方から他方に向かって出没自在に設けられた係止部材により当該網戸の下端部が当該縦枠に係止されて、当該網戸が前記窓枠に支持されていることを特徴とする。
【０００７】
ここで、少なくとも上下二段の障子は、上下一対の２枚の障子（上部障子および下部障子）から構成されていてもよく、３枚以上の障子から構成されていてもよい。また、下側の障子は、開閉可能に構成されていてもよく、また開閉不能な固定障子であってもよい。
以上の本発明によれば、上側の障子を開放することで、通風や換気が可能となるとともに、この通風、換気状態において、網戸によって埃や虫等の室内への侵入が防止でき、良好な室内環境を得ることができる。
また、下側の障子を通して室外を見た場合には、網戸が邪魔にならずに良好な景観を得ることができ、室内の居住性および快適性をより一層高めることができる。つまり、当該建具を腰窓として設置した場合には、ソファ等に腰掛けた状態の居住者の目の高さに下側の障子が位置することとなり、この下側の障子を通して室外の景観を楽しむことができる。
さらに、当該建具を室外側から見た場合には、網戸が直接見えないので、建具の外観が良好にできて意匠性を向上させることができる。そして、網戸が室内側に設けられているので、網戸の汚れが防止でき、意匠性を良好に維持することができる。
さらに、網戸が窓枠に支持されているので、上側の障子の開閉移動を阻害することがないとともに、下側の障子を開閉可能に構成した場合にも、その開閉移動を阻害することもなく、良好な操作性を得ることができる。
また、網戸上框を上枠に係止して網戸下端部を係止部材で縦枠に係止するようにしたことで、簡単な構造で網戸を窓枠に取り付けることができる。
【０００８】
この際、本発明の建具では、前記係止部材は、前記網戸下框の両端部から左右に出没自在に設けられたピンで構成されていることが好ましい。
このような構成によれば、網戸下框から左右に出没自在に設けたピンで網戸下端部を縦枠に係止するようにしたことで、網戸の下部を持って網戸上框を上枠に引っ掛けて係止してから、網戸下框のピンを操作して縦枠に係止することができる。また、網戸を取り外す際にも、網戸の下部を持って網戸下框のピンを縦枠から外してから、網戸上框を上枠から外すことで容易に取り外すことができる。従って、上枠が手の届かない高さ位置にあったとしても、取り付け作業および取り外しの作業が容易に実行できる。
【０００９】
さらに、前記網戸枠の上下左右の網戸框材は、それぞれ室内部材と室外部材とを接合して形成され、前記ネットは、前記上下左右の網戸框材における室内部材と室外部材との間に挟持されていることが好ましい。
このような構成によれば、網戸框材の室内部材と室外部材にネットが挟持されているので、ネットの四周端縁が露出せず、網戸の外観を良好にすることができる。また、従来の網戸において、框材に圧入する網戸ロープによってネットの端縁を支持する取付方法が一般的であるが、この方法では、取付作業に手間が掛かるとともにネットに弛みが生じやすいという不都合があった。これに対して、網戸框材の室内部材と室外部材にネットを挟持する本発明の構造では、手間が軽減できるとともに、ネットの弛みが防止でき、さらに意匠性を向上させることができる。
【００１０】
さらに、本発明の建具では、前記網戸の網戸下框は、閉鎖位置にある前記上下の障子における室内外の召し合わせ框の間に位置し、当該召し合わせ框の見込み方向に重なって設けられていることが好ましい。
このような構成によれば、網戸下框が召合せ框の見込み方向に重なっているので、障子を閉じた状態で室内外から網戸下框が見えなくでき、さらに意匠性を向上させることができる。
【００１１】
また、本発明の建具では、前記上側の障子は、前記下側の障子よりも高さ寸法が小さく形成されていることが好ましい。
このような構成によれば、上側の障子とともに網戸の高さ寸法も小さくできるので、意匠性を高められるとともに、下側の障子の高さ寸法が大きくなるので、室外の景観がより見えやすくなって開放感を高めることができ、居住性や快適性を一層向上させることができる。また、通風や換気のために開閉操作される上側の障子の重量が小さくなるため、開閉操作が容易にでき、操作性を向上させることができる。
【発明を実施するための最良の形態】
【００１２】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３は、上げ下げ窓１を示す横断面図であって、上部障子位置における横断面図である。
図１〜図３において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００１３】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００１４】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００１５】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分室外側に重なった状態となり、これら上下の障子２０，３０の上方に開口が形成されて上げ下げ窓１が開かれるようになっている。このように、上部障子２０を下部障子３０の略半分の高さ寸法に設定したことで、上部障子２０を全開すれば、この上部障子２０の上下框２１，２２および下部障子３０の上框３１によって、窓枠１０の内部が上下に略三等分された略目の字形の外観（または内観）となり、バランスのよい良好な意匠性が得られる。
一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００１６】
次に、図４および図５も参照して上げ下げ窓１の各部詳細について説明する。
図４は、上げ下げ窓１の上部を拡大して示す縦断面図である。図５は、上げ下げ窓１の縦枠１３および上部障子２０の縦框２３を拡大して示す横断面図である。
上枠１１は、図４に示すように、それぞれアルミ押出形材製の室内部材１１１、室外部材１１２、室内下面部材１１３、および室外下面部材１１４と、室内下面部材１１３と室外下面部材１１４とを連結する樹脂製の断熱部材１１５とを備えて中空状に形成されている。室内下面部材１１３は、略水平に延びる中空部材であって、その室外側端部下面には、網戸５０の上端縁を係止する網戸係止片１１３Ａが下方に延びて形成されている。
【００１７】
上部障子２０の上框２１および下框２２は、それぞれアルミ押出形材製の室内部材２１１，２２１および室外部材２１２，２２２と、これらの室内部材２１１，２２１と室外部材２１２，２２２とを連結する樹脂製の断熱部材２１３，２２３とを備えて形成されている。また、下框２２の室外部材２２２の室内側端には、室内側に延びるとともに上方に折れ曲がって下部障子３０の上框３１を引き寄せる引き寄せ片２２２Ａが形成されている。
下部障子３０の上框３１は、それぞれアルミ押出形材製の室内部材３１１および室外部材３１２と、これらの室内部材３１１と室外部材３１２とを連結する樹脂製の断熱部材３１３とを備えて形成されている。そして、上框３１の室内部材３１１の室外側側面には、網戸５０に当接して埃等の浸入を防止するモヘヤ３１１Ａが取り付けられている。また、室外部材３１２の室外側側面には、室外側に延びるとともに下方に折れ曲がって引き寄せ片２２２Ａに係合する鈎状片３１２Ａが形成されている。
【００１８】
以上のような召合せ部において、上部障子２０および下部障子３０を閉じた際には、引き寄せ片２２２Ａと鈎状片３１２Ａとが係合することで下框２２と上框３１とが引き寄せられるようになっている。また、上部障子２０を開放した際に、上部障子２０の室内側、つまり下框２２の引き寄せ片２２２Ａ上方に入り込んだ虫や埃等がモヘヤ３１１Ａで遮断され、これらの室内空間への浸入が防止されるようになっている。
【００１９】
縦枠１３は、図５に示すように、それぞれアルミ押出形材製の室内部材１３１、室外部材１３２、室内レール部材１３３、および室外レール部材１３４と、室内部材１３１と室外部材１３２とを連結する樹脂製の断熱部材１３５と、室内レール部材１３３と室外レール部材１３４とを連結する樹脂製の断熱部材１３６とを備えて中空状に形成されている。そして、室内レール部材１３３と室外レール部材１３４との間には、閉じた状態の上部障子２０の縦框２３に沿った上部アタッチメント１４Ａと、閉じた状態の下部障子３０の縦框３３に沿った下部アタッチメント１４Ｂ（図６）とが、気密部材１５（図６）を介して上下に連続して設けられている。室内レール部材１３３および室外レール部材１３４は、見付け方向内側に向かって開口した断面略Ｃ字形に形成されており、それぞれ上部障子２０および下部障子３０を上下に案内可能に構成されている。
【００２０】
上部障子２０の縦框２３は、それぞれアルミ押出形材製の室内部材２３１および室外部材２３２と、これらの室内部材２３１と室外部材２３２とを連結する樹脂製の断熱部材２３３とを備えて形成されている。そして、縦框２３の室内部材２３１の室内側側面には、上部アタッチメント１４Ａに当接して気密性を確保する気密材２３１Ａが取り付けられており、室外部材２３２の見付け方向外側側面には、縦枠１３の室外レール部材１３４に当接して埃等の浸入を防止するモヘヤ２３２Ａが取り付けられている。
【００２１】
また、上部障子２０の縦框２３（または上下框２１，２２）には、室外レール部材１３４の溝内に挿入されるスライドシュー２５が設けられており、これらのスライドシュー２５が室外レール部材１３４に沿って案内されることで、上部障子２０が上下にスライド開閉されるようになっている。この上部障子２０の開閉操作は、図２に示すように、一方の縦枠１３の下部に設けた遠隔操作部としてのダイヤル１６を回転させることによって実行される。このダイヤル１６は、図示しない駆動機構を介して上部障子２０に接続されている。
一方、下部障子３０の下框３２には、室内レール部材１３３に挿入されるスライドシュー（不図示）が設けられており、下部障子３０の上框３１には、ラッチ装置（不図示）が設けられており、このラッチ装置から突出した突出片が室内レール部材１３３に挿入されている。そして、これらのスライドシューおよびラッチ装置の突出片が室内レール部材１３３に沿って案内されることで、下部障子３０が上下にスライド開閉されるようになっている。さらに、下部障子３０は、ラッチ装置の突出片と室内レール部材１３３との係合を外すことで、スライドシューに軸支されて上框３１側が室内側に回動（内倒し）可能に構成されている。
【００２２】
次に、上部障子２０の室内側に設けられた網戸５０について、図４〜図８に基づいて説明する。
図６〜図８は、縦枠１３および網戸５０の一部を示す斜視図である。
網戸５０は、それぞれアルミ形材製の上框（網戸上框）５１、下框（網戸下框）５２、および左右の縦框（網戸縦框）５３と、これら上下左右の框５１，５２，５３に四周を囲まれた内部に設けられたネット５４とを備えて構成されている。上下左右の框５１，５２，５３は、それぞれ室内部材５１１，５２１，５３１と、室外部材５１２，５２２，５３２とをビス止め固定して形成されている。そして、ネット５４は、樹脂コーティングされたグラスファイバー製であって、その四周端縁は、室内部材５１１，５２１，５３１と室外部材５１２，５２２，５３２とで挟持されるとともに、接着材や両面テープ、あるいは室内部材５１１，５２１，５３１と室外部材５１２，５２２，５３２との嵌合により上下左右の框５１，５２，５３に固定されている。また、網戸５０の上下左右の框５１，５２，５３は、上部障子２０の上下左右の框２１，２２，２３の室内側に重なって位置し、つまり網戸５０の下框５２は、障子の内外の召合せ框３１，２２の間に位置して設けられている。
【００２３】
網戸５０の上框５１の上端縁には、鉤爪状に折れ曲がった爪部５１３が形成されており、この爪部５１３を上枠１１の網戸係止片１１３Ａに引っ掛けることで、網戸５０が上枠１１に係止されるようになっている。また、網戸５０の下框５２の両端部には、縦枠１３に向かって出没自在に設けられるとともに、突出方向に付勢された係止ピン５２３Ａを有する係止部５２３が設けられている。そして、縦枠１３の気密部材１５には、係止ピン５２３Ａを挿入可能な係止孔１５１が形成されており、この係止孔１５１に係止ピン５２３Ａを挿入することで、網戸５０の下端部が縦枠１３に固定されるようになっている。また、網戸５０の縦框５３の見付け方向外側端縁には、気密材５３３が取り付けられている。この気密材５３３は、網戸５０を窓枠１０に固定した状態において、上部アタッチメント１４Ａ側面に当接するようになっている。これにより、上部障子２０を開放した際に、網戸５０の縦框５３と縦枠１３との間から虫や埃等の室内空間へ侵入することが防止できるようになっている。
【００２４】
以上のような網戸５０の取付手順としては、下部障子３０の上框３１側を室内側に回動（内倒し）させてから、上框５１の爪部５１３を上枠１１の網戸係止片１１３Ａに引っ掛けて係止させた状態において、図６〜図８に示すように、係止部５２３の係止ピン５２３Ａを下框５２の内方に没入させてから、網戸５０の下端部を縦枠１３の気密部材１５位置まで移動させる。そして、気密部材１５の係止孔１５１に合わせて係止ピン５２３Ａを突出させて、係止ピン５２３Ａの先端を係止孔１５１に挿入して係止させる。このようにして網戸５０の窓枠１０への取り付けが終了する。
網戸５０を窓枠１０から取り外す場合には、下部障子３０の上框３１側を室内側に回動（内倒し）させてから、係止部５２３の係止ピン５２３Ａを没入させて気密部材１５の係止孔１５１から外した後に、爪部５１３を上枠１１の網戸係止片１１３Ａから外せばよい。
【００２５】
このような本実施形態によれば、以下のような効果がある。
（１）すなわち、上部障子２０を開放することで、通風や換気が可能となるとともに、この通風、換気状態において、網戸５０によって埃や虫等の室内への侵入が防止でき、良好な室内環境を得ることができる。
【００２６】
（２）さらに、下部障子３０を通して室外を見た場合には、網戸５０が邪魔にならずに良好な景観を得ることができ、室内の居住性および快適性をより一層高めることができる。
【００２７】
（３）また、上げ下げ窓１を室外側から見た場合には、網戸５０が直接見えないので、上げ下げ窓１の外観が良好にできて意匠性を向上させることができる。そして、網戸５０が室内側に設けられているので、網戸５０の汚れが防止でき、意匠性を良好に維持することができる。
【００２８】
（４）また、上部障子２０の高さ寸法を下部障子３０よりも小さく形成したので、上部障子２０とともに網戸５０の高さ寸法も小さくできるので、意匠性を高められるとともに、下部障子３０の高さ寸法が大きくなるので、室外の景観がより見えやすくなって開放感を高めることができ、居住性や快適性を一層向上させることができる。
【００２９】
（５）さらに、通風や換気のために開閉操作される上部障子２０の重量が小さくなるため、開閉操作が容易にでき、操作性を向上させることができる。
【００３０】
（６）また、網戸５０の上框５１を上枠１１の網戸係止片１１３Ａに引っ掛けて係止するとともに、網戸５０の下框５２に設けた係止部５２３の係止ピン５２３Ａを縦枠１３の気密部材１５に係止するようにしたことで、網戸５０の取り付け作業および取り外しの作業が容易に実行できる。
【００３１】
（７）さらに、網戸５０の框材５１，５２，５３における室内部材５１１，５２１，５３１と室外部材５１２，５２２，５３２にネット５４が挟持されているので、ネット５４の四周端縁が露出せず、網戸５０の外観を良好にすることができるとともに、ネット５４の取付および交換作業が容易にできる。また、室内部材５１１，５２１，５３１と室外部材５１２，５２２，５３２とで挟持するネット５４の固定構造としたことで、樹脂製ネットのような伸縮性を有したもののみならず、グラスファイバー製や金属製のような伸縮性に乏しいネット５４を用いた場合でも、弛みなくネット５４を張ることができる。
【００３２】
（８）また、網戸５０の下框５２が障子２０，３０の召合せ框２２，３１の見込み方向に重なっているので、障子２０，３０を閉じた状態で室内外から網戸５０の下框５２が見えなくでき、さらに意匠性を向上させることができる。
【００３３】
なお、本発明は、前記実施形態に限定されるものではなく、本発明の目的を達成できる他の構成等を含み、以下に示すような変形等も本発明に含まれる。
例えば、前記実施形態においては、上げ下げ窓１が上下一対の２枚の障子（上部障子２０および下部障子３０）を有して構成されていたが、これに限らず、３枚以上の障子を有して構成されていてもよい。また、上部障子２０および下部障子３０がそれぞれ上下にスライド開閉可能に構成されていたが、これに限らず、下部障子３０が開閉不能な固定障子であってもよい。
【００３４】
また、上げ下げ窓１において、上部障子２０の室内側に設けられた網戸５０のみならず、下部障子３０側にも網戸を設けてもよい。この下部障子３０側の網戸としては、例えば、窓枠１０の下枠１２または下部障子３０の下框３２に内蔵されたものが例示でき、これらの下枠１２または下框３２内においてロール状に巻き付けられ、下部障子３０の開放に伴って形成される開口部を覆うように構成されたものが望ましい。このような網戸を下部障子３０側に設ければ、下部障子３０を開放した際の埃や虫等の侵入が防止できるとともに、下部障子３０を閉じた状態では網戸が見えず、意匠性や景観を損ねることがない。
【００３５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３６】
【図１】本発明の実施形態に係る建具を室外側から見た正面図である。
【図２】前記建具を示す縦断面図である。
【図３】前記建具を示す横断面図であり、上部障子位置での横断面図である。
【図４】前記建具の上部を拡大して示す縦断面図である。
【図５】前記建具における縦枠および上部障子の縦框を拡大して示す横断面図である。
【図６】前記建具における網戸の取付手順を示す斜視図である。
【図７】前記建具における網戸の取付手順を示す斜視図である。
【図８】前記建具における網戸の取付手順を示す斜視図である。
【符号の説明】
【００３７】
１０…窓枠、１１…上枠、１２…下枠、１３…縦枠、２０…上部障子、２２…外召合せ框である下框、３０…下部障子、３１…内召合せ框である上框、５０…網戸、５１…上框、５２…下框、５３…縦框、５４…ネット、５１１，５２１，５３１…室内部材、５１２，５２２，５３２…室外部材、５２３Ａ…係止ピン。
【図１】
2006241743.tif 000003
【図２】
2006241743.tif 000004
【図３】
2006241743.tif 000005
【図４】
2006241743.tif 000006
【図５】
2006241743.tif 000007
【図６】
2006241743.tif 000008
【図７】
2006241743.tif 000009
【図８】
2006241743.tif 000010